(57)【要約】【課題】底部シール部を下にして立たせたときに、内容物の重さにより、底シール部の左右中央部分が凹んでしまうことのないスタンディングパウチを提供する。【解決手段】表フィルム１と裏フィルム２の間の下端に二つ折りした底部材３を、折り部を上にして挟み込み、底シール部４を船底型にシールしたスタンディングパウチであって、底シール部内の左右中央部分に、底部材と表フィルムの間、及び、底部材と裏フィルムの間に未シール部を設け、未シール部に気体を充填して膨らんだ、横長の独立充填室５を設けた。【選択図】図１
2015006905.tif 000002
【特許請求の範囲】
【請求項１】
表フィルムと裏フィルムの間の下端に二つ折りした底部材を、折り部を上にして挟み込み、底シール部を船底型にシールしたスタンディングパウチであって、前記底シール部内の左右中央部分に、前記底部材と前記表フィルムの間、及び、前記底部材と前記裏フィルムの間に未シール部を設け、該未シール部に気体を充填して膨らんだ、横長の独立充填室を設けたことを特徴とするスタンディングパウチ。
【請求項２】
前記スタンディングパウチのサイドシール部内に未シール部を設け、該未シール部に気体を充填して膨らんだ、縦長のサイド部独立充填室を設けたことを特徴とする請求項１に記載のスタンディングパウチ。
【発明の詳細な説明】
【技術分野】
【０００１】
本発明は、スタンディングパウチに関するものである。
【背景技術】
【０００２】
包装袋には、さまざまな機能が要求されている。ひとつには内容物の劣化を防ぐという保護機能があり、また、輸送運搬上の取り扱いを容易にする機能が要求される一方、販売の上でお客様の目を引く、または、贈答用などで美粧性を求められるものもある。
【０００３】
この包装袋の形状も各種あり、３方シール袋、４方シール袋、ピロー袋、ガゼット袋などさまざまなものがある。また、底部にガゼット部を設けて、底部を船底型にシールにしたスタンディングパウチもある。
【０００４】
このスタンディングパウチは、自立させて陳列させることができて消費者の目に留まりやすいとともに、袋の大きさの割に内容量を多くすることができるので、トイレタリーなどの詰め替え容器として、広く用いられるようになってきた。
【０００５】
このようなスタンディングパウチの場合、特にサイズの大きいものでは、包装袋の材質に腰がないと、店頭等での陳列時や卓上使用時に袋の上部が折れ曲がり、見栄えが悪くなったり、自立性を失って倒れたりするという問題点があった。
【０００６】
そのため、サイドシール部の一方もしくは双方に、上下方向に延びる長方形状の閉じた輪郭でなる未シール部が形成されて、未シール部にエアを注入し、袋に保形性と自立性を保持させたスタンディングパウチがある（例えば、特許文献１）。
【０００７】
また、一般的な従来のスタンディングパウチでは、縦方向の保形性があっても、底部シール部４を下にして立たせたときに、内容物の重さにより、底シール部４の左右中央部分が凹んで、図３のように凹み９ができてしまうことがよくある。このように底シール部４に凹み９が発生すると、見栄えが悪く意匠性が低下するとともに、輸送時の振動や、落下時の衝撃などによる物理的強度の低下も懸念される。
【０００８】
公知文献を以下に示す。
【先行技術文献】
【特許文献】
【０００９】
【特許文献１】特開２００９−１２８００号公報
【発明の概要】
【発明が解決しようとする課題】
【００１０】
本発明は上記した事情に鑑みてなされたもので、底部シール部を下にして立たせたときに、内容物の重さにより、底シール部の左右中央部分が凹んでしまうことのないスタンディングパウチを提供することを課題としている。
【課題を解決するための手段】
【００１１】
本発明は係る課題に解決するためになされたものであり、請求項１の発明は、表フィルムと裏フィルムの間の下端に二つ折りした底部材を、折り部を上にして挟み込み、底シール部を船底型にシールしたスタンディングパウチであって、前記底シール部内の左右中央部分に、前記底部材と前記表フィルムの間、及び、前記底部材と前記裏フィルムの間に未
シール部を設け、該未シール部に気体を充填して膨らんだ、横長の独立充填室を設けたことを特徴とするスタンディングパウチである。
【００１２】
本発明の請求項２の発明は、前記スタンディングパウチのサイドシール部内に未シール部を設け、該未シール部に気体を充填して膨らんだ、縦長のサイド部独立充填室を設けたことを特徴とする請求項１に記載のスタンディングパウチである。
【発明の効果】
【００１３】
本発明のスタンディングパウチは、底部シール部を下にして立たせたときに、内容物の重さにより、底シール部の左右中央部分が凹んでしまうことがない。
【図面の簡単な説明】
【００１４】
【図１】本発明のスタンディングパウチの一例を模式的に示した説明図である。（Ａ）平面図である。（Ｂ）（Ａ）のＸ−Ｘ部の断面図である。
【図２】本発明のスタンディングパウチの他の例を模式的に平面で示した説明図である。
【図３】従来のスタンディングパウチの一例を模式的に示した説明図である。
【発明を実施するための形態】
【００１５】
以下、本発明を実施するための形態につき説明する。
図１は、本発明のスタンディングパウチの一例を模式的に示した説明図である。（Ａ）平面図である。（Ｂ）（Ａ）のＸ−Ｘ部の断面図である。
【００１６】
本例のスタンディングパウチ１００は、表フィルム１と裏フィルム２の間の下端に二つ折りした底部材３を、折り部を上にして挟み込み、底シール部４が船底型にシールされている。
【００１７】
この底シール部４内の左右中央部分に、底部材３と表フィルム１の間、及び、底部材３と裏フィルム２の間に未シール部が設けられ、この未シール部に気体を充填して膨らんだ、横長の独立充填室５が設けられている。また、一方のサイドシール部６の上部の一隅には、注ぎ口となる口栓７が取り付けられている。
【００１８】
このように、底シール部４内の左右中央部分に、気体を充填して膨らんだ、横長の独立充填室５が設けられているので、底部シール部４を下にして立たせたときに、内容物の重さにより、底シール部４の左右中央部分が凹んでしまうことがない。
【００１９】
本例のスタンディングパウチ１００の表フィルム１、裏フィルム２や底部材３としては、基材フィルムとシーラント層が積層された積層フィルムが好ましく用いられる。基材フィルムとしては、ナイロン、ポリエチレンテフタレート、あるいは、ポリプロピレンなどの延伸フィルムや、無延伸フィルムが用いられる。また、これらを組み合わせて用いることが出来る。
【００２０】
更には、バリア層として、アルミニウム箔を設けてもよい。また、アルミニウムなどの金属や、アルミナ、または、シリカなどの無機物の蒸着層を設けてもよい。これらを、単層または多層で用いてもよい。
【００２１】
シーラント層としては、熱可塑性樹脂で熱溶着が可能な低密度ポリエチレンフィルム、直鎖状低密度ポリエチレンフィルム、未延伸ポリプロピレンフィルムなどを用いることができる。
【００２２】
また、必要に応じて絵柄印刷層を設けることができる。絵柄印刷層を設ける印刷方式は
、特に限定するものではないが、通常、グラビア印刷、あるいは、フレキソ印刷が用いられる。
【００２３】
独立充填室５に充填する気体としては、特に限定されない。使用される温度領域で気体であればよく、空気や窒素ガスなどが好ましく用いられる。
【００２４】
本例のスタンディングパウチ１００は、以下の様にスタンディングパウチの製袋機を利用して製袋することができる。
【００２５】
独立充填室５を未シール部として底シール部４に設け、また、口栓７を取り付ける隅部と、内容物充填口となる天シール部に未シール部分を残してシールし、全体を抜き加工により打ち抜き外形を形成させる。
【００２６】
次に、独立充填室５に気体を、図示しない注入孔などから加圧して吹き込み、口栓７をシールして取り付け、天シール部の未シール部分から内容物を充填してシールすることによって、内容物が充填されたスタンディングパウチ１００が製袋される。
【００２７】
図２は、本発明のスタンディングパウチの他の例を模式的に平面で示した説明図である。
【００２８】
本例のスタンディングパウチ２００では、スタンディングパウチ１００と同様に、表フィルム１と裏フィルム２の間の下端に二つ折りした底部材３を、折り部を上にして挟み込み、底シール部４が船底型にシールされている。
【００２９】
この底シール部４内の左右中央部分に、底部材３と表フィルム１の間、及び、底部材３と裏フィルム２の間に未シール部が設けられ、この未シール部に気体を充填して膨らんだ、横長の独立充填室５が設けられている。
【００３０】
そして、一方のサイドシール部６ａの上部の一隅には、注ぎ口となる口栓７が取り付けられていて、他方のサイドシール部６ｂ内に未シール部を設け、この未シール部に気体を充填して膨らんだ、縦長のサイド部独立充填室８が設けられている。
【００３１】
このように、スタンディングパウチ２００は、スタンディングパウチ１００と同様に、横長の独立充填室５により、底シール部４の左右中央部分が凹んでしまうことがないという効果があるとともに、更に、サイドシール部６ｂ内に設けられたサイド部独立充填室により、スタンディングパウチ２００の上部が折れ曲がり、見栄えが悪くなることもなく、保形性と自立性を保つことができる。
【実施例】
【００３２】
以下に、本発明の具体的実施例について説明する。
【００３３】
二軸延伸ポリエチレンテレフタレートフィルム１２μｍ、二軸延伸ナイロンフィルム１５μｍ、アルミニウム箔９μｍ、直鎖状低密度ポリエチレンフィルムを順次２液硬化型ウレタン系接着剤を用いて、ドライラミネーション法によって貼り合わせて、表裏のフィルムと底部材１用の積層フィルムを作成した。尚、表裏のフィルムの直鎖状低密度ポリエチレンフィルムの厚さは１８０μｍ、底部材１の直鎖状低密度ポリエチレンフィルムの厚さは６０μｍで作成した。
【００３４】
この積層フィルムを用いて、図１の形状で、高さが２８２．５ｍｍ、幅が１７８．０ｍｍで、容量が９００ｍＬのスタンディングパウチを作成した。尚、独立充填室５は、長径
が８ｍｍで、短径が２ｍｍの楕円形で設け、空気を独立充填室５が膨らむように充填した。
【００３５】
また、内容物として水９００ｍＬを充填した。以上のようにして、実施例のスタンディングパウチを作成した。
【００３６】
以下に本発明の比較例について説明する。
【００３７】
比較例として、独立充填室５を底シール部４に設けなかった以外は、実施例と同様にして、比較例のスタンディングパウチを作成した。
【００３８】
＜比較結果＞
実施例のスタンディングパウチは、底部シール部を下にして立たせたときに、内容物の重さにより、底シール部の左右中央部分が凹んでしまうことがなく、見栄えがよかった。
【００３９】
一方、比較例のスタンディングパウチは、底部シール部を下にして立たせたときに、内容物の重さにより、図３のように底シール部の左右中央部分が凹んでしまった。
【００４０】
以上のように、本発明のスタンディングパウチは、底部シール部を下にして立たせたときに、底シール部の左右中央部分が凹むことなく、意匠性に優れ、輸送時の振動や、落下時の衝撃などによる物理的強度の低下も低減できると考えられる。
【符号の説明】
【００４１】
１００、２００・・・スタンディングパウチ
１・・・表フィルム
２・・・裏フィルム
３・・・底部材
４・・・底シール部
５・・・独立充填室
６、６ａ、６ｂ・・・サイドシール部
７・・・口栓
８・・・サイド部独立充填室
【図１】
2015006905.tif 000003
【図２】
2015006905.tif 000004
【図３】
2015006905.tif 000005